(57)【要約】【課題】小型化、薄型化を可能とする。【解決手段】少なくとも１つの光接続部と、少なくとも２つの電気接続部をそれぞれ有する２つのコネクタからなる光電複合コネクタにおいて、互いに接続される電気接続部の一方をピン３２とし、他方をばね接点４４ｂとする。ばね接点４４ｂを有するコネクタ（レセプタクル４０）はばね接点４４ｂの前方にピン３２が挿入される位置決め穴４２ｄを備え、ピン３２の先端がばね接点４４ｂと接触して電気接続がなされ、ピン３２の根元が位置決め穴４２ｄに嵌まることで光接続のための位置決めがなされる。光接続のための位置決め用の専用のガイドピンは不要となる。【選択図】図３
2015053210.tif 000002
【特許請求の範囲】
【請求項１】
少なくとも１つの光接続部と、少なくとも２つの電気接続部をそれぞれ有する２つのコネクタからなる光電複合コネクタであって、
互いに接続される前記電気接続部の一方はピンとされ、他方はばね接点とされ、
前記ばね接点を有する前記コネクタは、前記ばね接点の前方に前記ピンが挿入される位置決め穴を備え、
前記ピンの先端が前記ばね接点と接触して電気接続がなされ、前記ピンの根元が前記位置決め穴に嵌まることで光接続のための位置決めがなされることを特徴とする光電複合コネクタ。
【請求項２】
少なくとも１つの光接続部と、少なくとも２つの電気接続部をそれぞれ有する２つのコネクタからなる光電複合コネクタであって、
互いに接続される前記電気接続部の一方は先端にばね接点が一体形成された第１のピンとされ、他方は第２のピンとされ、
前記第２のピンを有する前記コネクタは、前記第２のピンの前方に前記第１のピンが挿入される位置決め穴を備え、
前記第１のピンの先端の前記ばね接点が前記第２のピンと接触して電気接続がなされ、前記第１のピンの根元が前記位置決め穴に嵌まることで光接続のための位置決めがなされることを特徴とする光電複合コネクタ。
【請求項３】
請求項１記載の光電複合コネクタにおいて、
前記ピンの根元の径は先端の径より大きいことを特徴とする光電複合コネクタ。
【請求項４】
請求項２記載の光電複合コネクタにおいて、
前記第１のピンの延伸方向と直交する面内において前記ばね接点が占める領域の径は前記根元の径より小さいことを特徴とする光電複合コネクタ。
【請求項５】
請求項１乃至４記載のいずれかの光電複合コネクタにおいて、
前記電気接続部は前記光接続部を挟んで前記コネクタの両脇に配置されていることを特徴とする光電複合コネクタ。
【請求項６】
請求項１乃至５記載のいずれかの光電複合コネクタにおいて、
前記２つのコネクタは前記光接続部及び前記電気接続部を収容するシェルをそれぞれ備えており、
前記２つのコネクタの接続時には前記シェル同士が最初に嵌合することを特徴とする光電複合コネクタ。
【請求項７】
請求項１乃至６記載のいずれかの光電複合コネクタにおいて、
互いに接続される前記光接続部の少なくとも一方はレンズを備えていることを特徴とする光電複合コネクタ。
【請求項８】
請求項７記載の光電複合コネクタにおいて、
前記レンズはレンズブロックの先端面に設けた窪みのなかに形成されており、
前記レンズは前記レンズブロックの前記先端面よりも突出していないことを特徴とする光電複合コネクタ。
【請求項９】
請求項８記載の光電複合コネクタにおいて、
前記レンズブロックの後方にコイルばねを備えていることを特徴とする光電複合コネクタ。
【請求項１０】
請求項１乃至９記載のいずれかの光電複合コネクタにおいて、
前記２つのコネクタの少なくとも一方は光電変換回路を備えていることを特徴とする光電複合コネクタ。
【発明の詳細な説明】
【技術分野】
【０００１】
この発明は光接続と電気接続を同時に行う光電複合コネクタに関する。
【背景技術】
【０００２】
図８及び図９はこの種の光電複合コネクタの従来例として特許文献１に記載されている構成を示したものである。図８はレセプタクルを示し、図９はレセプタクルの断面構造及びレセプタクルと接続されるＵＳＢコネクタの断面構造を示す。図８ではメタルシェルの図示は省略している。
【０００３】
レセプタクル１０は本体部１１と光デバイス部１２を備えており、本体部１１は突設部１１ａと収容部１１ｂを有している。突設部１１ａには導体（接続導体）１３が複数内蔵されている。導体１３の一端側は突設部１１ａの表面に露出するように設けられており、接続部１３ａとなっている。導体１３の他端側は本体部１１の下方に向かって引き出されている。
【０００４】
光デバイス部１２は基板１４とレンズケース１５とミラー部品１６とによって構成されている。基板１４の前端側には発光素子１４ａと受光素子（隠れて見えない）とＩＣチップ１４ｂが実装されている。基板１４の後端側のスルーホールには端子１７が挿入されて接続されている。
【０００５】
レンズケース１５は発光素子１４ａ、ＩＣチップ１４ｂ等を覆うように基板１４上に配置されており、レンズケース１５の上面にはレンズ部１５ａ，１５ｂが形成されている。ミラー部品１６はレンズケース１５の上部に位置するように基板１４上に配置されており、ミラー１６ａとガイドピン１６ｂ，１６ｃを有している。ガイドピン１６ｂ，１６ｃはミラー部品１６の前面から前方に突出して設けられている。
【０００６】
レセプタクル１０は光デバイス部１２を組み立てた後に、光デバイス部１２を本体部１１の収容部１１ｂに配置することで構成され、メタルシェル１８に光デバイス部１２を搭載した本体部１１を挿入して完成する。
【０００７】
一方、レセプタクル１０と結合されるＵＳＢコネクタ２０の差込部２１にはフェルール２２が内蔵されており、フェルール２２は図示しない光ファイバ心線の先端部分を保持している。フェルール２２の先端はレンズ２２ａとなっている。
【０００８】
レセプタクル１０とＵＳＢコネクタ２０とはＵＳＢコネクタ２０がレセプタクル１０に狭持されることで接続される。メタルシェル１８には突出部１８ａ，１８ｂが設けられており、ＵＳＢコネクタ２０がレセプタクル１０に挿入された際、ＵＳＢコネクタ２０の差込部２１の上面２１ａ及び下面２１ｂは突出部１８ａ，１８ｂと当接し、これによりレセプタクル１０とＵＳＢコネクタ２０との接続状態が保持される。
【０００９】
レセプタクル１０はガイドピン１６ｂ，１６ｃによってＵＳＢコネクタ２０と光軸の位置合わせが行われて光接続される。また、光接続と同時にＵＳＢコネクタ２０の導線とレセプタクル１０の接続部１３ａとの接続も行われる。光接続により、発光素子１４ａから出射された出射光はレンズ部１５ａによってコリメートされ、ミラー１６ａによって反射されてフェルール２２のレンズ２２ａに入射され、一方、フェルール２２から出射された出射光も同様に、ミラー１６ａによって反射され、レンズ部１５ｂによって集光されて受光素子に入射される。
【先行技術文献】
【特許文献】
【００１０】
【特許文献１】特開２０１１−２３３５０１号公報
【発明の概要】
【発明が解決しようとする課題】
【００１１】
ところで、光電複合コネクタは各種分野で用いられるようになってきており、特に通信分野においてはスマートフォンやタブレットの普及により、光電複合コネクタには軽薄で小型のものが要求されている。しかしながら、上述したような構成を有する従来の光電複合コネクタ（レセプタクル）では、光接続部及び電気接続部とは別に、光接続のための位置決め用に専用のガイドピンを必要とするものとなっており、このようなガイドピンを必要とする分、小型化が困難となっていた。
【００１２】
この発明の目的はこの問題に鑑み、小型化、軽薄化が可能な光電複合コネクタを提供することにある。
【課題を解決するための手段】
【００１３】
請求項１の発明によれば、少なくとも１つの光接続部と少なくとも２つの電気接続部をそれぞれ有する２つのコネクタからなる光電複合コネクタにおいて、互いに接続される電気接続部の一方はピンとされ、他方はばね接点とされ、ばね接点を有するコネクタはばね接点の前方にピンが挿入される位置決め穴を備え、ピンの先端がばね接点と接触して電気接続がなされ、ピンの根元が前記位置決め穴に嵌まることで光接続のための位置決めがなされるものとされる。
【００１４】
請求項２の発明によれば、少なくとも１つの光接続部と少なくとも２つの電気接続部をそれぞれ有する２つのコネクタからなる光電複合コネクタにおいて、互いに接続される電気接続部の一方は先端にばね接点が一体形成された第１のピンとされ、他方は第２のピンとされ、第２のピンを有するコネクタは第２のピンの前方に第１のピンが挿入される位置決め穴を備え、第１のピンの先端のばね接点が第２のピンと接触して電気接続がなされ、第１のピンの根元が前記位置決め穴に嵌まることで光接続のための位置決めがなされるものとされる。
【００１５】
請求項３の発明では請求項１の発明において、ピンの根元の径は先端の径より大きいものとされる。
【００１６】
請求項４の発明では請求項２の発明において、第１のピンの延伸方向と直交する面内においてばね接点が占める領域の径は前記根元の径より小さいものとされる。
【００１７】
請求項５の発明では請求項１乃至４のいずれかの発明において、電気接続部は光接続部を挟んでコネクタの両脇に配置されているものとされる。
【００１８】
請求項６の発明では請求項１乃至５のいずれかの発明において、２つのコネクタは光接続部及び電気接続部を収容するシェルをそれぞれ備えており、２つのコネクタの接続時にはシェル同士が最初に嵌合するものとされる。
【００１９】
請求項７の発明では請求項１乃至６のいずれかの発明において、互いに接続される光接続部の少なくとも一方はレンズを備えているものとされる。
【００２０】
請求項８の発明では請求項７の発明において、レンズはレンズブロックの先端面に設けた窪みのなかに形成されており、レンズはレンズブロックの先端面よりも突出していないものとされる。
【００２１】
請求項９の発明では請求項８の発明において、レンズブロックの後方にコイルばねを備えているものとされる。
【００２２】
請求項１０の発明では請求項１乃至９のいずれかの発明において、２つのコネクタの少なくとも一方は光電変換回路を備えているものとされる。
【発明の効果】
【００２３】
この発明によれば、電気接続部を構成するピンは、その先端を電気接続用の接点として使用し、根元を光接続のための高精度な位置決めに使用するものとなっている。よって、従来、必要であった光接続のための位置決め用の専用のガイドピンは不要となる。
【００２４】
これにより、光電複合コネクタを構成する一方のコネクタにおいては、位置決め専用のガイドピンの配置スペースは不要となり、他方のコネクタにおいては位置決め専用のガイドピンの嵌合スペースは不要となる。従って、この発明によれば、光電複合コネクタの小型化、軽薄化が可能となる。
【図面の簡単な説明】
【００２５】
【図１】この発明による光電複合コネクタの一実施例を示す斜視図。
【図２】Ａは図１に示した光電複合コネクタの一方のコネクタであるプラグの正面図、Ｂは図１に示した光電複合コネクタの他方のコネクタであるレセプタクルの正面図。
【図３】Ａはプラグとレセプタクルの電気接続部の構成を説明するための断面図、Ｂはプラグとレセプタクルの光接続部の構成を説明するための断面図。
【図４】Ａは図３Ａに示した電気接続部の接続状態を示す断面図、Ｂは図３Ｂに示した光接続部の接続状態を示す断面図。
【図５】プラグとレセプタクルの嵌合過程を説明するための図。
【図６】Ａは電気接続部の要部構成を示す断面図、Ｂ〜Ｄは電気接続部の他の構成例を示す断面図。
【図７】レセプタクルの他の構成例を示す断面図。
【図８】レセプタクルの従来例を示す斜視図。
【図９】従来の光電複合コネクタにおけるＵＳＢコネクタとレセプタクルの構成を示す断面図。
【発明を実施するための形態】
【００２６】
この発明の実施形態を図面を参照して実施例により説明する。
【００２７】
図１はこの発明による光電複合コネクタの一実施例の外観を示したものであり、光電複合コネクタはプラグ３０とレセプタクル４０とよりなる２つのコネクタによって構成されている。図２Ａ，Ｂはプラグ３０及びレセプタクル４０をそれぞれ正面側（互いに接続される側）から見た状態を示したものであり、図３Ａ，Ｂはプラグ３０とレセプタクル４０の要部断面構造を示したものである。
【００２８】
まず、プラグ３０の構成について説明する。
【００２９】
プラグ３０は図１に示したようにケーブル５０の端末に取り付けられる。ケーブル５０はこの例では２本の電線５１と４本の光ファイバ５２を内部に有するものとなっている。各光ファイバ５２の端末は図３Ｂに示したようにレンズブロック３１の微細孔３１ａに挿入されてレンズブロック３１に固定保持されている。レンズブロック３１の先端面３１ｂの、各光ファイバ５２の延長上に位置する箇所には、それぞれ集光レンズ３１ｃが形成されている。集光レンズ３１ｃは図２Ａに示したようにレンズブロック３１の先端面３１ｂの長手方向に配列されて４つ形成されており、これら集光レンズ３１ｃによって光接続部が構成されている。集光レンズ３１ｃはレンズブロック３１の先端面３１ｂに設けた窪みのなかに形成されており、集光レンズ３１ｃは先端面３１ｂよりも突出していない。レンズブロック３１は透明樹脂製とされる。
【００３０】
レンズブロック３１の長手方向両端の先端面３１ｂ１は、集光レンズ３１ｃが形成されている先端面３１ｂに対し、わずかに低くされており、この１段低い先端面３１ｂ１にそれぞれピン３２が設けられている。ピン３２はレンズブロック３１を貫通して設けられており、その先端はレンズブロック３１の先端面３１ｂ１から突出されている。
【００３１】
レンズブロック３１の後端側にはブロック３３が配置され、２本のピン３２はこのブロック３３に固定保持されている。ピン３２の後端は筒状とされてブロック３３から後方に突出されており、電線５１はこのピン３２の後端の筒状部３２ａに挿入固定されて金属製のピン３２に接続されている。
【００３２】
レンズブロック３１及びブロック３３は角筒状をなすガイド３４内に収容されており、レンズブロック３１の先端側はガイド３４の一端側の端面に形成された開口３４ａから外部に突出されている。ガイド３４の他端側にはばね抑え３５が取り付けられており、このばね抑え３５とブロック３３との間に２つのコイルばね３６が設けられている。コイルばね３６は２本のピン３２の位置においてピン３２及び電線５１を囲むように設けられている。２つのコイルばね３６はレンズブロック３１をガイド３４の開口３４ａから突出する方向に押すものとなっている。ガイド３４、ばね抑え３５及びブロック３３は樹脂製とされる。
【００３３】
ガイド３４の一部及びガイド３４の開口３４ａから突出しているレンズブロック３１、ピン３２の回りには金属製のシェル３７が設けられる。シェル３７の先端側はレンズブロック３１を囲む角筒状をなし、この角筒部３７ａ内にレンズブロック３１の先端側及びピン３２の突出部分は収容されている。
【００３４】
ハウジング３８はプラグ３０の外形を構成するもので、扁平な直方体形状をなす。シェル３７の角筒部３７ａはハウジング３８の一端側の側面から突出されている。ケーブル５０はハウジング３８の他端側の側面に突出形成されている円筒部３８ａを通ってハウジング３８内に挿入されている。
【００３５】
次に、レセプタクル４０の構成について説明する。
【００３６】
レセプタクル４０は角筒状をなす金属製のシェル４１によって外形が構成されており、このシェル４１内にレンズブロック４２が収容されている。レンズブロック４２の後端側はシェル４１の後方から突出しており、この部分においてシェル４１とレンズブロック４２との間にはフレーム４３が介在されている。
【００３７】
レセプタクル４０には２本の電線６１と４本の光ファイバ６２が取り付けられる。各光ファイバ６２の端末は図３Ｂに示したようにレンズブロック４２の微細孔４２ａに挿入されてレンズブロック４２に固定保持されている。レンズブロック４２の先端面４２ｂの、各光ファイバ６２の延長上に位置する箇所には、それぞれ集光レンズ４２ｃが形成されている。集光レンズ４２ｃは図２Ｂに示したようにレンズブロック４２の先端面４２ｂの長手方向に配列されて４つ形成されており、これら集光レンズ４２ｃによって光接続部が構成されている。集光レンズ４２ｃはレンズブロック４２の先端面４２ｂに設けた窪みのなかに形成されており、集光レンズ４２ｃは先端面４２ｂよりも突出していない。４つの集光レンズ４２ｃの配列ピッチはプラグ３０の４つの集光レンズ３１ｃの配列ピッチと一致されている。レンズブロック４２は透明樹脂製とされる。
【００３８】
レンズブロック４２の長手方向両端の先端面４２ｂ１は、集光レンズ４２ｃが形成されている先端面４２ｂに対し、わずかに低くされており、この１段低い先端面４２ｂ１にそれぞれ位置決め穴４２ｄが形成されている。各位置決め穴４２ｄの奥には位置決め穴４２ｄに続いて取り付け穴４２ｅが形成されている。取り付け穴４２ｅはレンズブロック４２の後端面に至るまで形成されている。
【００３９】
各取り付け穴４２ｅにはソケット４４が収容されて取り付けられている。ソケット４４の中間部４４ａは軸状とされ、先端側（位置決め穴４２ｄ側）には電気接続部をなす一対のばね接点４４ｂが中間部４４ａから突出されて形成されている。ばね接点４４ｂは断面略半円弧形状とされ、片持ち梁状とされている。一対のばね接点４４ｂは互いに対向するように形成されており、先端側は互いに近接してすぼまった状態となっている。
【００４０】
ソケット４４の後端は筒状とされてレンズブロック４２から後方に突出されており、電線６１はこのソケット４４の後端の筒状部４４ｃに挿入固定されて金属製のソケット４４に接続されている。なお、レンズブロック４２の後端側にはブロック４５が配置されている。
【００４１】
図４Ａ，Ｂは上記のような構成を有するプラグ３０とレセプタクル４０が嵌合され、電気接続と光接続とが行われた状態をそれぞれ示したものであり、図４Ａ，Ｂはそれぞれ図３Ａ，Ｂと対応した図となっている。
【００４２】
電気接続は図４Ａに示したようにプラグ３０のピン３２がレセプタクル４０の位置決め穴４２ｄに挿入され、さらに一対のばね接点４４ｂ間に挿入されて一対のばね接点４４ｂにピン３２の先端が挟み込まれることによって行われる。なお、プラグ３０のシェル３７の角筒部３７ａは、レセプタクル４０のシェル４１内に嵌め込まれてシェル４１と接触しており、これによりグランド接続が行われる。
【００４３】
光接続は図４Ｂに示したようにプラグ３０のレンズブロック３１の先端面３１ｂと、レセプタクル４０のレンズブロック４２の先端面４２ｂとが突き当てられ、集光レンズ３１ｃと４２ｃとが互いに対向されることによって行われる。この例では集光レンズ３１ｃ，４２ｃともに先端面３１ｂ，４２ｂよりも突出していないので、集光レンズ同士は接触することがなく、光接続は集光レンズ３１ｃ，４２ｃによる空間結合によって行われるものとなっている。
【００４４】
光接続には極めて高精度な位置決めが要求されるが、この例ではレセプタクル４０にはばね接点４４ｂの前方に位置決め穴４２ｄが設けられており、プラグ３０のピン３２がこの位置決め穴４２ｄに挿入され、図４Ａに示したようにピン３２の根元が位置決め穴４２ｄに嵌まることで、光接続のための高精度な位置決めが行われるものとなっている。
【００４５】
このようにこの例では電気接続部を構成するピン３２の先端がばね接点４４ｂと接触して電気接続が行われ、このピン３２の根元を光接続のための位置決めに使用するものとなっており、接続方向において光接続部の位置（レンズ３１ｃ，４２ｃの位置）とほぼ同じ位置で位置決めを行うため、高精度な位置決めが可能となっている。図４Ａ中、破線ａで囲んだ部分は電気接続機能部を示し、破線ｂで囲んだ部分は光接続のための位置決め機能部を示す。
【００４６】
図５（１）〜（４）はプラグ３０とレセプタクル４０の嵌合過程を順に示したものである。なお、図５（１）は嵌合前の状態を示す。
【００４７】
プラグ３０とレセプタクル４０の接続時には、図５（２）に示したように、最初にプラグ３０のシェル３７とレセプタクル４０のシェル４１が嵌合する。シェル同士の嵌合によりプラグ３０とレセプタクル４０とはほぼ位置決めされ、これにより図５（３）に示したレセプタクル４０の位置決め穴４２ｄへのプラグ３０のピン３２の挿入が容易となる。なお、レンズブロック３１に設けられた一対のピン３２が支障なく、良好に位置決め穴４２ｄに挿入されるように、プラグ３０のレンズブロック３１はシェル３７に対してわずかに動きうるフローティング構造を採用している。
【００４８】
さらに、嵌合を進めることにより、コイルばね３６が押し縮められ、レンズブロック３１の先端面３１ｂをレンズブロック４２の先端面４２ｂに押し付けるので、レンズブロック同士の角度ずれも矯正されて、図５（４）に示した嵌合完了状態となり、電気接続と光接続が完了する。レセプタクル４０のシェル４１に形成されているばね片４１ａの先端の凸部４１ｂは、プラグ３０のシェル３７に形成されている窓３７ｂにはまり込み、これにより抜け止めされ、嵌合状態が保持される。
【００４９】
上述した例ではプラグ３０及びレセプタクル４０は４つの光接続部と２つの電気接続部を有するものとなっているが、光接続部の数は特に限定されない。一方、電気接続部の数、言い換えればピン３２の本数は少なくとも２本とされる。上述した例に示したように２本のピン３２を光接続部を挟んでプラグ３０の両脇に配置すれば、光接続のための位置決めをより高精度に行うことができる。
【００５０】
なお、ピン３２とばね接点４４ｂとの接触による電気接続においては、金属同士の接触、こすれにより金属摩耗粉が発生する恐れがあるが、ピン３２とばね接点４４ｂとは光接続のための高精度な位置決めを担う位置決め穴４２ｄより奥まった位置で接触するため、金属摩耗粉が位置決め穴４２ｄの内壁面に付着するといったことは生じにくいものとなっている。
【００５１】
図６Ａは上述したプラグ３０とレセプタクル４０の電気接続部をさらに拡大して示したものである。図６Ｂ〜Ｄは電気接続部の他の構成例を示したものである。
【００５２】
図６Ｂはピン３２’の先端の径を根元の径より小さくし、これに対応して一対のばね接点４４ｂ’の先端がなすピン３２’の挿入空間を図６Ａに示した状態より狭くしたものであり、図６Ｃは図６Ｂと同様のばね接点４４ｂ’とし、ピン３２”の先端を先細形状としたものである。
【００５３】
このような形状を有するピン３２’，３２”を採用すれば、高精度な位置決めを行うべく、ピン３２’，３２”の根元部分と位置決め穴４２ｄとの嵌合における隙間（クリアランス）を小さくしても、位置決め穴４２ｄへの挿入を容易に行うことができる。
【００５４】
図６Ｄはレセプタクル４０側に設けられる電気接続部をばね接点４４ｂではなく、ピン（第２のピン）４４ｄとし、プラグ３０側のピン（第１のピン）３２の先端にばね接点３２ｂを一体形成したものであり、このような構成を採用することもできる。ピン３２の延伸方向と直交する面内において一対のばね接点３２ｂが占める領域の径はピン３２の根元の径より小さくされる。これにより、このような先端にばね接点３２ｂを有するピン３２であっても位置決め穴４２ｄへの挿入を良好に行うことができる。この例ではプラグ３０のピン３２のばね接点３２ｂと、レセプタクル４０のピン４４ｄとが接触することによって電気接続が行われる。
【００５５】
以上説明した実施例においては、互いに接続される光接続部の双方にレンズが設けられているが、レンズは一方だけでもよく、またレンズをなしとしてもよい。例えば、レンズがない場合は光ファイバ５２，６２の端面同士が突き当てられる。
【００５６】
なお、プラグとレセプタクルとよりなる２つのコネクタの少なくとも一方が光電変換回路を具備する構成としてもよい。図７はこのような構成の一例として光電変換回路を備えたレセプタクル４０’を示したものである。図７において、４６は回路基板を示し、４７は面発光レーザ（ＶＣＳＥＬ：Vertical Cavity Surface Emitting Laser）、４８はＩＣを示す。レンズブロック４２にはミラー面４２ｆが形成されており、また面発光レーザ４７と対向する位置には集光レンズ４２ｇが形成されている。
【符号の説明】
【００５７】
１０    レセプタクル                  １１    本体部
１１ａ    突設部                      １１ｂ    収容部
１２    光デバイス部                  １３    導体
１３ａ    接続部                      １４    基板
１４ａ    発光素子                    １４ｂ    ＩＣチップ
１５    レンズケース                  １５ａ，１５ｂ    レンズ部
１６    ミラー部品                    １６ａ    ミラー
１６ｂ，１６ｃ    ガイドピン          １７    端子
１８    メタルシェル                  １８ａ，１８ｂ    突出部
２０    ＵＳＢコネクタ                ２１    差込部
２１ａ    上面                        ２１ｂ    下面
２２    フェルール                    ２２ａ    レンズ
３０    プラグ                        ３１    レンズブロック
３１ａ    微細孔                      ３１ｂ，３１ｂ１    先端面
３１ｃ    集光レンズ                  ３２，３２’，３２”    ピン
３２ａ    筒状部                      ３２ｂ    ばね接点
３３    ブロック                      ３４    ガイド
３４ａ    開口                        ３５    ばね抑え
３６    コイルばね                    ３７    シェル
３７ａ    角筒部                      ３７ｂ    窓
３８    ハウジング                    ３８ａ    円筒部
４０，４０’    レセプタクル            ４１    シェル
４１ａ    ばね片                      ４１ｂ    凸部
４２    レンズブロック                ４２ａ    微細孔
４２ｂ，４２ｂ１    先端面            ４２ｃ    集光レンズ
４２ｄ    位置決め穴                  ４２ｅ    取り付け穴
４２ｆ    ミラー面                    ４２ｇ    集光レンズ
４３    フレーム                      ４４    ソケット
４４ａ    中間部                      ４４ｂ，４４ｂ’    ばね接点
４４ｃ    筒状部                      ４４ｄ    ピン
４５    ブロック                      ４６    回路基板
４７    面発光レーザ                  ４８    ＩＣ
５０    ケーブル                      ５１    電線
５２    光ファイバ                    ６１    電線
６２    光ファイバ
【図１】
2015053210.tif 000003
【図２】
2015053210.tif 000004
【図３】
2015053210.tif 000005
【図４】
2015053210.tif 000006
【図５】
2015053210.tif 000007
【図６】
2015053210.tif 000008
【図７】
2015053210.tif 000009
【図８】
2015053210.tif 000010
【図９】
2015053210.tif 000011